(57)【要約】【課題】１．壷、花瓶類が、その役目、役割を発揮する事無く一般家庭に放棄、放置され粗大ゴミ扱いされている。２．従来品は部屋を照らし出す照明器具を目的として使用されているのみで、これら壷、花瓶類の美術品としての価値を見出すための器具ではない。３．また、これらを制作している職人の制作意欲も単調で、人間性、創造性を発揮する余地がない。【解決の手段】１．粗大ゴミ扱いされた壷、花瓶類に価値を見出し、所有者にモノの大切さを再発見させ２．これを制作する職人側にとっては、新たな制作意欲を生み出す機会となる。３．コレクターにとっては、本発明品が取り付けられた事により、これまで以上に、作品を集中して観賞出来る。４．結果として、美術品扱いとなる可能性が生まれ、名品に接近する機会が生まれる。【選択図】図１
2014150076.tif 000002
【特許請求の範囲】
【請求項１】
本発明品は、陶磁器、木材、竹材等で造られた壷、花瓶類（美術品）の上部先端にツール・ホルダーを取り付け、ツール・ホルダー上部に下向きの照明器具、装置を取り付ける事により、作品本体を直接、照らし出して作品の持つ美術的効果をより高める目的に開発したものである。また、このツール・ホルダーの最先端には下向きシェード（傘）取り付け用具も装着している。図面１参照の事。
【発明の詳細な説明】
【発明の詳細な説明】
【技術分野】
【０００１】１．本発明品は光源を下向きに取り付ける事で、光源の全てが作品本体に集中し、作品が    直接照らし出されるので、ライト・アップ装置に該当する。写真１、２参照の事。
【背景技術】
【０００２】１．一般家庭にはお祝い等で貰ったり、以前から家にあった壷、花瓶類がある。その大半    が本来の目的に使用されず、放棄、放置されたままの状態にある。
２．他方、壷、花瓶類を制作している供給側（職人）が全国、世界中に存在する。職人達    は作品の行く末、必ずしも望ましい扱いをうけていない現状を憂いているが手から離    れた後は、コントロール出来ない。
３．市場に普及する従来品は全て、明り取りを目的（部屋を照らし出す）として太古の時    代から存在する燭台（ローソク）、カンテラの原理を起源とした作品である。それら    は作品本体の上部にツール・ホルダーを取り付け、このツール・ホルダーの下部に光    源用電球ソケットを取り付け、光源は全て上向きで部屋を照らす、明るくする目的の    照明器具である。また、このツール・ホルダー上部に下向きの傘（シェード）が取り    付けられている。ホテル、レストランのロビー、客室のコーナー・テーブル、サイド    ・テーブル上に置かれ、インテリアの一部となっているが、これらは本発明品のよう    に、ツール・ホルダーの上部に下向きの光源を取り付けて作品本体を照らし出す目的    ではない。
【発明が解決しようとする課題】
【０００３】具体的には、従来品には次のような欠点が存在している。
１．現在、名品と称される作品であっても、制作当初は、現在、無名のままでいる作品同    様に無名だった。名品は一夜にして生まれるものではなくて、コレクター、製作者の    双方の日々の努力の積み重ねの結晶から、生み出されるモノである。一方は名品にな    り、他方は無名のままで今日に至っている。この違いはコレクターが永年に渡って大    切に保管、観賞し、審美眼を養って来た結果、その作品にまつわる様々な情報が付随    し、伝播し、結果として名品へと育って来た事と、作品自身に普遍性が内包されてい    るかどうかによっている。従って、その良否の有無は作品に対して、どれだけ双方が    感心と情熱を持ち続け、執着したか否かで決定されている。
２．名品となった、これ等（壷、花瓶類）の美術品は高額で取引され、美術館、博物館で    は、高額なガラス製の展示ケースの中に入れられ、またケース天井側に取り付けられ    た個別の光源装置で美術品を照らし出し、観覧者が、その詳細を観察しているのが現    状である。しかし、残念ながら、これらは超高額であり、一般家庭での普及は極めて    困難である。本発明品が一般家庭に普及する事により安価に作品の観賞が美術館並に    出来るようになる。
３．美術品が名品に至る経路は、結果的には一般市民の美術品に対する思い入れ、愛着度    、執着心の大小によって、その良否が決定されるのであって、金持のみが愛好するの    が美術品ではないのである。逆に言えば、上記のような金持ちの愛好品、道楽品は経    済の量的拡大、バブル時代には頻繁に高額で取引されても、現在のようなボーダレス    で、質的拡大が要求される時代、成熟社会では、従来の美術品価値は通用していない    のが現実である。この成熟社会に通用する審美眼を養う機会が一般市民には必要であ    り、また普遍的な名品は結果として市民の中から自然に生まれて来るべきである。審    美眼のレベル・アップの機会を与え、国民の美的鑑賞を増加させる一助としての器具    、装置が本発明品なのである。
【課題を解決するための手段】
【０００４】１．    市場で殆ど見捨てられた壷、花瓶類に本発明品を使用し、レトロ・フィット（再    生）させる事で、新たな目的、美術品になり、有効活用出来る。新たな価値を見出さ    れた作品は、これまでとは異なり、より身近な必須道具となり、放棄、放置される事    なく、大切に保存されるようになる。結果、作品への思い入れ、愛着が深まり、無名    だった作品が名品となる可能性が出て来る。
２．    壷、花瓶類を制作している職人（クラフツマン）が本発明品を採用する事で、新    たな作品、より価値を持った作品となり、販路拡大が可能となり、時には、これ等が    美術品扱いとなる可能性も出て来る。結果として、職人が芸術家（アーチスト）に転    向する可能性も生まれる。
３．    上記に述べた、ホテル、レストラン等に置かれた、これら従来品にも、本発明品    でレトロ・フィットすれば、価値が倍加する事は明白である。
【発明を実施するための形態】
【０００５】以下、本発明の実施の形態について説明する。
図面１、写真１、２、参照の事。
【発明の効果】
【０００６】本発明により、
１．従来、名品と称されるものの大半は博物館、美術館、公共機関、コレクターが所蔵し    、その展示方法は超高額で頑丈なガラス・ケースに入れられ、照明装置として、ガラ    ス・ケースの天井部分に取り付けられた光源から名品を照らし出し、これを観覧者が    見学している。
２．また、どこの家庭にも花瓶、壷等の目的で購入した、これ等の範疇に入る作品は、未    だ無名なため、大半は、購入時の目的が達せられずに忘れられ、無視され、放置され    ているのが現状である。
３．美術品が名品に至る経路を、世界的視野に立って追跡調査してみると“日本のように    かって将軍、大名、旧華族、富豪等が保有していた等の理由のみで名品に至った”は    、時代錯誤な特殊階級が理由付けしただけである。名品とは、本来、誰も見向きもし    ない無名な時代に、既に名品の姿、形をしており、作品自身が時代を経て名品に変化    したのではない。パトロンに寵愛された有名作者の作品ではなく、一般市民が制作し    たが故に、名品になれなかっただけなのである。
４．現在のように作品の制作、入手が自由、平等な時代にあって、作り出す側、コレクタ    ー側の双方にとって、共有する経路で名品にする（なる）方法が存在するとすれば、    それは、旧態依然の上述の方法ではなく、双方が審美眼を磨き上げ、現代に適応、普    及出来る兼価な方法を見つけ出さなければならない。この目的に合致する方法の１つ    が本発明品である。
５．即ち、名品を作り出す方法は万人の共通的（普遍的）な感覚が作品に内包されている    か否か？であり、それには、その作品が造られた時から（作品の良否が不明な時）、    観覧者に対して、従来以上に、作品をより詳細に観察してもらう方法を見つけ出さな    いといけない。言い換えれば、双方の審美眼を養わなければ為らない。
６．そこで本発明品の登場である。逆転の発想である。部屋を照らし出すだけでなく、作    品を直接照らし出す装置である。即ち、作品に取り付けられた光源は従来型のような    燭台（ローソク台）、カンテラを手本にして発展してきた電気スタンド型（本体の上    部にソケットを装着し、ここに上向きの光源を取り付け、周りを明るくさせる）の器    具ではなくて、本体に取り付けられたシェード取り付け用のホルダーの上部に下向き    のソケットを装着し、ここに下向き光源を取り付ける事により、本体を直接照らし出    すのである。こうする事により、観覧者は容易に、詳細に作品を観察出来る事になる    。
７．従来作品を所有する一般家庭に本発明品が普及する事により、観る側にとっても、展    示する側にとっても、高額なガラスケースを購入する事なく、手軽にコレクターが展    示出来、結果として、名品への底上げと発掘の足掛かりになる。
【０００７】他に電線、配線を中空菅（パイプ）を使用して、その中に通して、配線、電線を外部に出して見せない方法も、本特許請求の範囲である。
【図面の簡単な説明】
【０００８】
【図１】本発明品の斜視図
【符号の説明】（１）シェード固定ナット
（２）ワッシャ
（３）シェード
（４）ＬＥＤ電球ソケット
（５）ソケット固定ナット、シェード固定ボルト
（６）ツール・ホルダー
（７）ＬＥＤ電球
（８）配線
（９）壷固定フタ
（１０）ツール・ホルダー固定ボルツ
（１１）ワッシャ
（１２）ナット
（１３）壷
【図１】
2014150076.tif 000003